(57)【特許請求の範囲】
【請求項１】
矩形平板の両側部より内側で長手方向に多数抜き加工されかつ折曲されて相互に対面した多数のバッフルと、前記矩形平板の前記両側部に形成され前記バッフルの両端を連結部を介して連結する枠と、前記バッフルの並び方向に平行であって前記枠の外側より折曲されて前記バッフルの両肩に倒れ込むことにより前記バッフルの前記両端に係合する係合受部を有する折曲部とを備え、前記バッフルはその前記両端の一側に前記連結部があり他側に前記両肩があって前記抜き加工により前記両肩が円弧状に形成されるとともに前記連結部の前記枠に連なる部分の前記両肩と反対側の角が円弧状に形成されて円弧状角部となっており、前記バッフルの使用状態において前記バッフルの先端側からみた場合、前記折曲部は、前記連結部の前記円弧状角部を覆い隠す構成である照明器具用ルーバ。
【発明の詳細な説明】
【０００１】
【発明の属する技術分野】
この発明は、グレアカットなど配向を調整する照明器具用ルーバに関するものである。
【０００２】
【従来の技術】
従来、器具本体５０の開口に遮光角を確保するためのルーバ５１を配設した照明器具がある。５２はランプソケット、５３は安定器である。
このルーバ５１は、多数の切欠溝を形成したＶ字形の縦ルーバ５４と、切欠溝に係止した多数のバッフル５５からなっているため、バッフル５５の数だけ部品点数が増大し、コスト高になるという問題があった。
【０００３】
この問題を解決する手段として、図７に示すようにバッフル５６と枠５７とを一体形成したルーバがあった。
【０００４】
【発明が解決しようとする課題】
しかし、このバッフル５６は図８に示すように、金属薄板から多数のバッフル５６を切起こして遮光角に曲げ加工しているため、曲げ角度がばらつきやすく、遮光角が変わり品質が安定しにくいという問題があった。
したがって、この発明の目的は、遮光角のばらつきを低減できる照明器具用ルーバを提供することである。
【０００５】
【課題を解決するための手段】
請求項１の照明器具用ルーバは、矩形平板の両側部より内側で長手方向に多数抜き加工されかつ折曲されて相互に対面した多数のバッフルと、前記矩形平板の前記両側部に形成され前記バッフルの両端を連結部を介して連結する枠と、前記バッフルの並び方向に平行であって前記枠の外側より折曲されて前記バッフルの両肩に倒れ込むことにより前記バッフルの前記両端に係合する係合受部を有する折曲部とを備え、前記バッフルはその前記両端の一側に前記連結部があり他側に前記両肩があって前記抜き加工により前記両肩が円弧状に形成されるとともに前記連結部の前記枠に連なる部分の前記両肩と反対側の角が円弧状に形成されて円弧状角部となっており、前記バッフルの使用状態において前記バッフルの先端側からみた場合、前記折曲部は、前記連結部の前記円弧状角部を覆い隠す構成である。
【０００６】
請求項１の照明器具用ルーバによれば、切起こされたバッフルの両端が折曲部の係合受部に係合するため、遮光角のばらつきを低減でき、遮光角が安定化できるので品質を安定にできるとともに、バッフルの強度も増大し、また板厚を薄型化することができるのでコストダウンになる。
【０００７】
【発明の実施の形態】
この発明の第１の実施の形態を図１および図２により説明する。すなわち、この照明器具用ルーバは、枠１と、多数のバッフル２とを有する。
多数のバッフル２は、矩形平板の周縁部よりも内側に一方向に多数切起こされて相互に対面し、矩形平板の周縁部を枠１としている。この枠１はその外周縁に折曲されてバッフル２の並び方向に平行な折曲部３を有し、バッフル２の各々の両端に係合する係合受部４を折曲部３に形成している。実施の形態の係合受部４は切欠溝であり、折曲部３を内方に９０度以上折曲してバッフル２の両端縁に切欠溝４を係合させている。
【０００８】
この照明器具用ルーバは、照明器具の器具本体（図示せず）のランプの前面に配置され開口縁に枠１が取付けられて使用される。実施の形態では、枠１およびバッフル２が切板またはコイル材の金属薄板を押し抜き、切り抜き、型抜き等の抜き加工、および曲げ加工により形成される。加工工程を説明すると、図１（ａ）のように金属薄板を所定の形状に抜き加工して矩形平板上にバッフル２、係合受部４である切欠溝を形成する。この場合バッフル２の形状は両端の幅方向の連結部９と反対側の肩部５が円弧状に形成されているので、バッフル２が切起こされて残った矩形平板の穴６の縁部に円弧状角部６ａが一方向に向いて形成され、このため外観上方向性Ｐが生じる。つぎに図１（ｂ）のようにバッフル２を所定の遮光角に折曲すると、連結部９がねじれた状態に変形する。図１（ｃ）のように破線を折曲線８として折曲部３を９０度以上折曲し、係合受部４をバッフル２の両端に係合する。
【０００９】
この実施の形態によれば、切起こされたバッフル２の両端が折曲部３の係合受部４に係合するため、遮光角のばらつきを低減でき、遮光角が安定化できるので品質を安定にできるとともに、バッフル２の強度も増大し、また板厚を薄型化することができるのでコストダウンになる。
また、図１の（ａ）や（ｂ）の状態では穴６の形状に円弧状角部６ａによる方向性があるが、図１（ｃ）のように折曲部３を９０度以上折曲することにより、穴６の円弧状角部６ａが折曲部３により閉ざされて穴がほぼ四角形に見えるので方向性がなくなり、ルーバの取扱がよくなるとともに外観も向上できる。この点従来は、複数のルーバ付照明器具を一直線状に並べる場合に方向性がまちまちになることにより外観が悪くなり、方向を揃えるように取付ける作業が煩雑になるという不都合があった。
【００１０】
さらに、金属薄板をコイル状に巻回されたものから切り出された場合であっても、枠１に折曲部３と切欠溝（４）を形成することにより、コイル状に巻回されたことによる曲げ応力が除去され、ルーバに反りが形成されるのを抑制できる。この発明の第２の実施の形態を図３および図４に示す。すなわち、この照明器具用ルーバは、第１の実施の形態において、バッフル２の両端に爪部１０を形成し、爪部１０を切欠溝の係合受部４に嵌合するものである。
【００１１】
この実施の形態によれば、折曲部３の折曲角度を９０度近くでよくなる。その他第１の実施の形態と共通する。
この発明の第３の実施の形態を図５に示す。すなわち、この照明器具用ルーバは、第１の実施の形態において、係合受部４の切欠溝を深く形成するとともに、折曲部３を約１８０度に折曲すなわち折り返したものである。
【００１２】
この実施の形態も第１の実施の形態よりもより一層外観上の方向性がわかりにくい。その他第１の実施の形態と同様である。
なお、この発明において、係合受部４は切欠溝であったが、穴であってもよい。
【００１３】
【発明の効果】
請求項１の照明器具用ルーバによれば、切起こされたバッフルの両端が折曲部の係合受部に係合するため、遮光角のばらつきを低減でき、遮光角が安定化できるので品質を安定にできるとともに、バッフルの強度も増大し、また板厚を薄型化することができるのでコストダウンになる。
【図面の簡単な説明】
【図１】この発明の第１の実施の形態の加工工程を示す説明図である。
【図２】ルーバの部分斜視図である。
【図３】第２の実施の形態の展開状態の部分平面図である。
【図４】そのルーバの部分斜視図である。
【図５】第３の実施の形態の部分斜視図である。
【図６】従来例のルーバを外した状態の照明器具の斜視図である。
【図７】別の従来例の斜視図である。
【図８】その部分拡大図である。
【符号の説明】
１    枠
２    バッフル
３    折曲部
４    係合受部
５    肩部
６    穴
６ａ    円弧状角部
８    折曲線
９    連結部
１０    爪部
【図１】
0003879153.tif 000002
【図２】
0003879153.tif 000003
【図３】
0003879153.tif 000004
【図４】
0003879153.tif 000005
【図５】
0003879153.tif 000006
【図６】
0003879153.tif 000007
【図７】
0003879153.tif 000008
【図８】
0003879153.tif 000009